(57)【特許請求の範囲】
【請求項１】
外枠と、この外枠内に支持される内枠と、この内枠内に組み付けられる遊技盤とを有する遊技機本体と、
この遊技機本体の前記外枠の前面側にて当該外枠の左端部に回動可能に支持される前扉とを備える遊技機において、
枠部と、この枠部内に設けられる透明板部とを有して、前記内枠と前記前扉との間に介装される中扉を備えており、
当該中扉は、前記枠部の左端部を回動軸として、当該枠部の左端部にて前記内枠に沿いその右方向へ変位しながら回動することにより、前記遊技盤の盤面を開き、また、前記枠部の左端部にて前記内枠に沿いその左方向へ変位しながら回動することにより、前記遊技盤の盤面を閉じるようにしたことを特徴とする遊技機。
【請求項２】
前記内枠の上下両側端部のうち、その少なくとも一方側の端部に沿い設けられる長手状案内部材と、
前記内枠の前記少なくとも一方側の端部の右端部位から回動可能に延出される回動アームとを備えて、
前記中扉において、前記枠部の左端部は、その上下両側端部の一方側の端部にて、前記案内部材に変位可能に連結されるとともに、前記枠部の上下両側端部のうち、その前記内枠の前記少なくとも一方側の端部に対する対応端部は、その左右方向中間部位にて、前記回動アームの延出端部に前後方向に相対的に回動可能に連結されていることを特徴とする請求項１に記載の遊技機。
【発明の詳細な説明】
【技術分野】
【０００１】
本発明は、パチンコ遊技機等の遊技機に関する。
【背景技術】
【０００２】
従来、この種の遊技機においては、下記特許文献１に記載のパチンコ遊技機が提案されている。当該パチンコ遊技機は、外枠、内枠及び遊技盤と、前扉とを備えている。内枠は外枠内に支持されており、遊技盤は、その盤面にて、パチンコ遊技機の前方に向くように、内枠内に組み付けられている。
【０００３】
また、前扉は、その左端部にて、外枠の左端部に前後方向に回動可能に支持されている。これにより、当該前扉は、外枠の左端部を基準として、遊技盤を開閉するように前後方向に回動する。
【０００４】
ここで、当該パチンコ遊技機においては、遊技球が、遊技盤の外周部に沿い設けた案内レールにより、遊技盤の左上隅角部から遊技領域内に案内されることから、遊技盤に打ち込まれている遊技釘群のうちでも、遊技盤の左上隅角部に打ち込まれている各遊技釘が、遊技球を遊技領域内に案内するにあたり、重要な役割を果たす。
【先行技術文献】
【特許文献】
【０００５】
【特許文献１】特開２００９−２９１５２０号公報
【発明の概要】
【発明が解決しようとする課題】
【０００６】
ところで、上記パチンコ遊技機において、上述のように、前扉がその左端部にて外枠の左端部に前後方向に回動可能に支持されているとともに、遊技盤が、外枠ではなく、内枠内に組み付けられている。このため、前扉と遊技盤との間の対向間隔は、外枠と内枠との間の組み付け構造のばらつきに起因してばらつき易い。
【０００７】
従って、当該パチンコ遊技機において前扉と遊技盤との間の対向間隔を適正に確保することは困難である。その結果、前扉と遊技盤との間の対向間隔が狭すぎたり広すぎたりすると、遊技球が、遊技盤の盤面に沿い円滑には転動し難くかったり、前扉と遊技盤或いは遊技釘との間で球噛みを招いたりするおそれがあった。
【０００８】
以上のようなことに対する対策としては、前扉と遊技盤との間において、中扉を、その左端部にて、内枠の左端部に前後方向に回動可能に支持することで、遊技盤を開閉することが考えられる。
【０００９】
ここで、中扉を内枠に向けて回動することにより遊技盤を閉じるようにすれば、中扉と遊技盤との間の対向間隔は、内枠のみで決まる。換言すれば、中扉と遊技盤との間の対向間隔は、外枠とは関係なく、中扉と内枠と遊技盤との間の位置関係で決まるため、中扉と遊技盤との間の対向間隔は、ばらつきを生じにくく、適正な間隔として確保され易い。
【００１０】
しかしながら、遊技盤を開くにあたり、中扉は、前扉と内枠との間にあって、前扉と同一方向に回動することになるので、当該中扉が、遊技盤を開くにあたっては、前扉に邪魔されて十分には回動し得ない。このことは、中扉が前扉と干渉して十分には遊技盤を開くことができないことを意味する。これでは、上述のように重要な役割を果たす遊技盤の左上隅角部の各遊技釘のメンテナンス作業が、中扉により邪魔されて困難であるという不具合を招く。
【００１１】
そこで、本発明は、以上のようなことに対処するため、前扉と内枠との間に介装される中扉の開閉構成に工夫を凝らし、遊技盤を閉じた際の中扉と遊技盤との間の対向間隔を適正に確保しつつ、中扉により遊技盤を開いた際に、遊技盤の左上隅角部の各遊技釘のメンテナンス作業を容易に行えるようにした遊技機を提供することを目的とする。
【課題を解決するための手段】
【００１２】
上記課題の解決にあたり、本発明に係る遊技機は、請求項１の記載によれば、
外枠（Ｆ）と、この外枠内に支持される内枠（Ｗ）と、この内枠内に組み付けられる遊技盤（Ｐ）とを有する遊技機本体（Ｂ）と、
この遊技機本体の前記外枠の前面側にて当該外枠の左端部に回動可能に支持される前扉（ＦＤ）とを備える。
【００１３】
当該遊技機において、
枠部（１０）と、この枠部内に設けられる透明板部（２０）とを有して、内枠と前扉との間に介装される中扉（Ｑａ）を備えており、
当該中扉は、上記枠部の左端部を回動軸として、当該枠部の左端部にて内枠に沿いその右方向へ変位しながら回動することにより、遊技盤の盤面を開き、また、上記枠部の左端部にて内枠に沿いその左方向へ変位しながら回動することにより、遊技盤の盤面を閉じるようにしたことを特徴とする。
【００１４】
これによれば、前扉を開いた状態において、中扉が、上記枠部の左端部にて内枠に沿いその左方向へ変位しながら回動することにより、遊技盤の盤面を閉じれば、当該中扉は遊技盤の盤面に対向する。
【００１５】
ここで、上述のように枠部の左端部にて内枠に沿い変位回動するようにした中扉と遊技盤との間の対向間隔が、前扉を支持している外枠とは関係なく、中扉と内枠と遊技盤との間の位置関係で決まる。このため、中扉と遊技盤との間の対向間隔は、ばらつきを生じにくく、適正な間隔として確保され得る。その結果、遊技球が遊技盤の盤面に沿い円滑に転動することができて、中扉と遊技盤或いは遊技釘との間で球噛みを招くこともない。
【００１６】
また、前扉を開いた状態では、当該前扉は、遊技盤の左側に位置する。従って、中扉が、上記枠部の左端部を回動軸として、上記枠部の左端部にて内枠に沿いその右方向へ変位しながら回動することにより、遊技盤の盤面を開けば、当該中扉は、開いた状態にある前扉とは反対側である遊技盤の右側に位置する。
【００１７】
これにより、遊技盤の左上隅角部に打ち込まれている各遊技釘は、その前側から中扉により塞がれてしまうことなく、前側へ良好に開放され得る。その結果、当該各遊技釘のメンテナンス作業が、中扉により邪魔されることはなく、容易に行われ得る。
【００１８】
また、本発明は、請求項２の記載によれば、請求項１に記載の遊技機において、
内枠の上下両側端部のうち、その少なくとも一方側の端部に沿い設けられる長手状案内部材（３０）と、
内枠の上記少なくとも一方側の端部の右端部位から回動可能に延出される回動アーム（４０）とを備えて、
中扉において、上記枠部の左端部は、その上下両側端部の一方側の端部（１１、１３）にて、案内部材に変位可能に連結されるとともに、上記枠部の上下両側端部のうち、その内枠の上記少なくとも一方側の端部に対する対応端部は、その左右方向中間部位にて、回動アームの延出端部に前後方向に相対的に回動可能に連結されていることを特徴とする。
【００１９】
このように、長手状案内部材及び回動アームを備えて、中扉の枠部の左端部を、その上下両側端部の一方側の端部にて、長手状案内部材に変位可能に連結し、かつ、中扉の枠部の上下両側端部のうち、その内枠の上記少なくとも一方側の端部に対する対応端部を、その左右方向中間部位にて、回動アームの延出端部に前後方向に相対的に回動可能に連結するようにした。
【００２０】
これにより、中扉の枠部が、その左端部の上下両側端部の一方側の端部にて、案内部材に沿いその長手方向に右方向或いは左方向へ変位する。また、この変位に伴い、当該中扉の枠部が、内枠の上記少なくとも一方側の端部に対する上側或いは下側の対応端部にて、回動アームと共に相対的に回動することで、  中扉が、枠部の左端部にて内枠に沿いその右方向或いは左方向へ変位しながら回動して、遊技盤を開閉する。その結果、請求項１に記載の発明の作用効果がより一層具体的に達成され得る。
【発明の効果】
【００２１】
本発明によれば、中扉が、内枠の左端部に支持されるのではなく、枠部の左端部を回動軸として、当該枠部の左端部にて内枠に沿いその右方向或いは左方向へ変位しながら回動することにより、遊技盤を開閉する。従って、中扉は、閉じた状態では、内枠を介して遊技盤に対向するので、中扉と遊技盤との間の対向間隔が、前扉を支持する外枠とは関係なく、決定される。その結果、中扉と遊技盤との間の対向間隔がばらつくことなく適正に確保され得る。また、中扉を開いた状態では、当該中扉は、遊技盤の左側へ開いた状態の前扉とは、反対の遊技盤の右側に位置する。このため、遊技盤の左上隅角部に打ち込まれている各遊技釘のメンテナンス作業が中扉により邪魔されることはなく、容易に行われ得る。
【００２２】
なお、上記各手段の括弧内の符号は、後述する実施形態に記載の具体的手段との対応関係を示す。
【図面の簡単な説明】
【００２３】
【図１】本発明に係るパチンコ遊技機の一実施形態を示す斜視図である。
【図２】図１のパチンコ遊技機を、前扉を開いた状態で示す斜視図である。
【図３】図２のパチンコ遊技機を、さらに、内枠及び遊技盤を外枠から開いた状態で示す斜視図である。
【図４】上記実施形態のパチンコ遊技機の遊技機本体を、中扉を内枠から分離して分解した状態で示す前側斜め下方から見た分解斜視図である。
【図５】上記実施形態におけるパチンコ遊技機の遊技機本体を、中扉を内枠から分離して分解した状態で示す前側斜め上方から見た分解斜視図である。
【図６】上記実施形態におけるパチンコ遊技機の遊技機本体を、中扉を除いた状態で示す正面図である。
【図７】上記実施形態におけるパチンコ遊技機の遊技機本体を、中扉を閉じた状態で示す斜視図である。
【図８】図７において、パチンコ遊技機の遊技機本体を、中扉を開き始めた状態で示す斜視図である。
【図９】図８においてパチンコ遊技機の遊技機本体を、中扉をさらに開いた状態で示す斜視図である。
【図１０】図９においてパチンコ遊技機の遊技機本体を、中扉をさらに開いた状態で示す斜視図である。
【図１１】（ａ）は、図７にて示す遊技機本体を、外枠を除いた状態で示す平面図であり、（ｂ）は、図１１（ａ）において円Ａにより包囲した部位を示す部分拡大平面図である。
【図１２】図８にて示す遊技機本体を、外枠を除いた状態で示す平面図である。
【図１３】図９にて示す遊技機本体を、外枠を除いた状態で示す平面図である。
【図１４】図１０にて示す遊技機本体を、外枠を除いた状態で示す平面図である。
【図１５】図１０にて示す遊技機本体を、中扉をさらに開いた状態で示す部分拡大平面図である。
【発明を実施するための形態】
【００２４】
以下、本発明の一実施形態を図面により説明する。
【００２５】
図１〜図３は、本発明を適用してなるパチンコ遊技機の一実施形態を示しており、当該パチンコ遊技機は、その外枠Ｆ（図３参照）にて、パチンコホール内の設置島に立設されるものである。なお、図１において、図示左側斜め後方、右側斜め前方、上側及び下側が、それぞれ、当該パチンコ遊技機の左側、右側、上側及び下側に対応する。
【００２６】
このパチンコ遊技機は、遊技機本体Ｂと、前扉ＦＤとにより構成されている。遊技機本体Ｂは、図１〜図３のいずれかにて示すごとく、上述した外枠Ｆ、内枠Ｗ及び遊技盤Ｐを備えている。
【００２７】
内枠Ｗは、その左端部にて、外枠Ｆ内にてその左端部に前後方向に回動可能に支持されている。ここで、内枠Ｗは、中空状板Ｗ１と、この中空状板Ｗ１の外周端部から前方へ延出する矩形環状壁Ｗ２とにより構成されている（図４参照）。
【００２８】
遊技盤Ｐは、その盤面を前方に向けるようにして、内枠Ｗの中空状板Ｗ１内にその前側から組み付けられている。このことは、当該遊技盤Ｐが内枠Ｗ内に組み付けられていることを意味する。
【００２９】
当該遊技盤Ｐには、遊技釘群、風車、普通入賞口装置、スタートチャッカー、電動チューリップ、アタッカー、ゲート（図示しない）やアウト口等が設けられており、上記遊技釘群は、多数の遊技釘を案内レールＲ（後述する）の内側にて遊技盤Ｐの盤面上に形成される遊技領域に分散して打ち込まれている。
【００３０】
ここで、上記遊技釘群のうち、遊技盤Ｐの盤面の遊技領域の左上隅角部に打ち込まれている各遊技釘が、遊技球を案内レールＲにより遊技領域内に案内するにあたり、重要な役割を果たす。
【００３１】
また、遊技機本体Ｂは、図４或いは図６にて示すごとく、案内レールＲ及び球発射装置Ｓを有しており、案内レールＲは、遊技盤Ｐの盤面の外周部に沿い設けられている。これにより、当該案内レールＲは、球発射装置Ｓから順次発射される遊技球を遊技盤Ｐの盤面の遊技領域内にその左上隅角部から案内する。
【００３２】
ここで、球発射装置Ｓは、図６にて示すごとく、遊技盤Ｐの左右方向中央部の直下にて、内枠Ｗの中空状板Ｗ１に組み付けられており、当該球発射装置Ｓは、その発射レールＳ１を介し、遊技球を案内レールＲに向けて発射するように構成されている。
【００３３】
さらに、当該遊技機本体Ｂは、図２〜図５のいずれかにて示すごとく、中扉装置Ｑを備えており、この中扉装置Ｑは、中扉Ｑａと、変位回動機構Ｑｂとにより構成されている。
【００３４】
中扉Ｑａは、遊技機本体Ｂの内枠Ｗと前扉ＦＤとの間において、遊技盤Ｐの盤面を開閉するように、変位回動機構Ｑｂを介し内枠Ｗに組み付けられている。このように、当該中扉Ｑａは、内枠Ｗと前扉ＦＤとの間において、遊技盤Ｐの盤面を開閉することで、当該パチンコ遊技機において外扉としての役割を果たす前扉ＦＤに対し、中側の扉としての役割を果たす。
【００３５】
中扉Ｑａは、図４或いは図５にて示すごとく、矩形板状枠部１０と、透明板部２０とにより構成されており、当該中扉Ｑａは、後述のごとく、変位回動機構Ｑｂの変位回動機能のもと、枠部１０の左端部を軸（回動軸）として、当該枠部１０の左端部にて内枠Ｗ内において上下両側案内バー３０に沿い右側へ変位しながら図４にて図示反時計方向に回動することにより、遊技盤Ｐの盤面を開き、また、枠部１０の左端部を軸（回動軸）として、当該枠部１０の左端部にて上下両側案内バー３０に沿い左側へ変位しながら図４にて図示時計方向に回動することにより、遊技盤Ｐの盤面を閉じるようになっている。
【００３６】
本実施形態では、中扉Ｑａが遊技盤Ｐを閉じた状態にある場合、枠部１０が、その上下両側端部にて、内枠Ｗ内における上下両側案内バー３０の間にて中空状板Ｗ１に対し平行に位置する。換言すれば、枠部１０が、その外周部にて、内枠Ｗの矩形環状壁Ｗ２内にてその左右両側壁部と上下両側案内バー３０とにより密封的に包囲されて中空状板Ｗ１に対し平行に位置する。
【００３７】
そこで、本実施形態では、中扉Ｑａの後面と遊技盤Ｐの盤面との間の間隔が所定間隔になるように、内枠Ｗに対する遊技盤Ｐの組み付け位置関係が設定されている。ここで、上記所定間隔は、１８（ｍｍ）〜２５（ｍｍ）内の間隔、好ましくは、２０（ｍｍ）〜２２（ｍｍ）の範囲内の間隔に選定されている。これは、遊技球を、中扉Ｑａと遊技盤Ｐ或いはその盤面からの遊技釘の突出部位との間にて球噛みを招くことなく、遊技盤Ｐの盤面に沿い、円滑に転動させるようにするためである。
【００３８】
透明板部２０は、枠部１０の中空部に組み付けられており、当該透明板部２０は、遊技盤Ｐの盤面に対向可能となっている。このことは、遊技盤Ｐの盤面が透明板部２０を通して視認可能であることを意味する。
【００３９】
変位回動機構Ｑｂは、上下両側長手状案内バー３０と、長手状回動アーム４０とを備えている。上下両側案内バー３０のうち、上側案内バー３０は、その上面にて、内枠Ｗの矩形環状壁Ｗ２の上側端部の下面にその左右方向に沿い長手状に装着されている。当該上側案内バー３０は、連結長孔部３１を有しており、この連結長孔部３１は、上側案内バー３０の幅方向中央部に沿い長手状に形成されている。
【００４０】
しかして、当該上側案内バー３０の連結長孔部３１には、中扉Ｑａの枠部１０が、その左端部の上端部１１にて、ピン１２を介し回動可能にかつ左右方向に変位可能に連結されている。このことは、枠部１０が、その左端部の上端部１１にて、上側案内バー３０の下面に沿いピン１２を介し回動可能にかつ左右方向に変位可能となっていることを意味する。
【００４１】
また、上側案内バー３０の連結長孔部３１は、複数の位置決め用半円状凹部３１ａを有しており、これら各凹部３１ａは、連結長孔部３１の後側内壁部に沿い間隔をおいて切り欠き形成されている（図１１〜図１５のいずれか参照）。
【００４２】
ここで、ピン１２は、枠部１０の左端部の上端部１１から上方へ突出してなるもので、当該ピン１２は、その突出端部にて、上側案内バー３０の連結長孔部３１内にその下方から回動可能にかつ左右方向に変位可能に嵌装されている。
【００４３】
しかして、当該ピン１２は、上側案内バー３０の連結長孔部３１内にてその下面に沿い左右方向へ変位する過程にて、各凹部３１ａ内に係合したときこの係合位置にて位置決めされる。このことは、枠部１０の上端部の回動位置が、上述したピン１２の位置決めでもって、位置決めされることを意味する。
【００４４】
一方、下側案内バー３０は、上側案内バー３０と同様の構成を有しており、当該下側案内バー３０は、その下面にて、内枠Ｗの矩形環状壁Ｗ２の中側壁部Ｗ３（図４参照）の上面にその左右方向に沿い長手状に装着されている。ここで、下側案内バー３０は、上側案内バー３０の直下に位置しており、当該下側案内バー３０には、上側案内バー３０の連結長孔部３１（以下、上側連結長孔部３１ともいう）と同様に、連結長孔部３１（以下、下側連結長孔部３１ともいう）が形成されている。なお、上述した中側壁部Ｗ３は、遊技盤Ｐと球発射装置Ｓとの間にて左右方向に長手状に延在するように中空状板Ｗ１から前側へ細幅状に延出しており、当該中側壁部Ｗ３の左右両端部は、矩形環状壁Ｗ２の左右両側壁部の上下方向中間部位に支持されている。
【００４５】
しかして、当該下側案内バー３０の下側連結長孔部３１には、中扉Ｑａの枠部１０が、その左端部の下端部１３（図５参照）にて、ピン１４（図５参照）を介し回動可能にかつ左右方向に変位可能に連結されている。このことは、枠部１０が、その左端部の下端部１３にて、上側案内バー３０の上面に沿いピン１４を介し回動可能にかつ左右方向に変位可能となっていることを意味する。
【００４６】
また、下側案内バー３０の連結長孔部３１は、複数の位置決め用半円状凹部３１ａを有しており、これら各凹部３１ａは、上側連結長孔部３１の各凹部３１ａの直下に位置するように、下側連結長孔部３１の後側内壁部に沿い間隔をおいて切り欠き形成されている（図４参照）。
【００４７】
ここで、ピン１４は、枠部１０の左端部の下端部１３から下方へ突出してなるもので、当該ピン１４は、その突出端部にて、下側案内バー３０の連結長孔部３１内にその上方から回動可能にかつ左右方向に変位可能に嵌装されている。
【００４８】
しかして、当該ピン１４は、下側案内バー３０の連結長孔部３１内にてその上面に沿い左右方向へ変位する過程にて、各凹部３１ａ内に係合したときこの係合位置にて位置決めされる。このことは、枠部１０の下端部の回動位置が、上述したピン１４の位置決めでもって、位置決めされることを意味する。なお、この下側案内バー３０の連結長孔部３１は、上側案内バー３０の連結長孔部３１の直下に位置している。
【００４９】
以上のような構成のもと、中扉Ｑａは、その上端部と下端部との間において捻れ等の歪みを招くことなく、上下両側案内バー３０に沿い左右方向に円滑に変位することが可能となる。
【００５０】
長手状回動アーム４０は、中扉Ｑａとその直上に位置する上側長手状案内バー３０との間に介在するように、後述のごとく、内枠Ｗの矩形環状壁Ｗ２と中扉Ｑａの枠部１０との間に相対的に回動可能に連結されている。
【００５１】
当該回動アーム４０は、図４、図５及び図８〜図１５のいずれかにて示すごとく、その長手方向基端部４１にて、内枠Ｗの矩形環状壁Ｗ２の右端部の上端部から前方へ突出する突出片４１ａ（図１５参照）の突出端部に左右方向において前後方向に回動可能となるように支持されており、この回動アーム４０の長手方向他端部４２は、中扉Ｑａの枠部１０の上端部の左右方向中央部に、ピン４２ａ（図５参照）を介し相対的に回動可能に支持されている。
【００５２】
このことは、回動アーム４０は、突出片４１ａの突出端部に回動可能に支持された長手方向基端部４１である延出基端部から延出して、長手方向他端部４２である延出端部にて枠部１０の上端部の左右方向中央部に相対的に回動可能に支持されていることを意味する。なお、回動アーム４０の回動半径は、枠部１０の上端部の左右方向長さの半分となっている。
【００５３】
以上のような構成のもと、中扉Ｑａは、その上端部と下端部との間において捻れ等の歪みを招くことなく、上下両側案内バー３０に沿い前後方向に円滑に回動することが可能となる。
【００５４】
前扉ＦＤは、当該パチンコ遊技機において外扉としての役割を果たすもので、当該前扉ＦＤは、その扉本体Ｄａの左端部にて、遊技機本体Ｂの外枠Ｆの左端部に前後方向に回動可能となるようにヒンジ結合により支持されている。ここで、当該前扉ＦＤは、その透明窓Ｄｂにて、中扉Ｑａの透明板部２０を介して、遊技盤Ｐにその前側から対向し得るようになっている。
【００５５】
しかして、当該前扉ＦＤは、後方向（遊技盤Ｐに向かう方向）への回動に伴い、透明窓Ｄｂにて、透明板部２０を介して遊技盤Ｐの盤面に対向するように閉じ、また、前方向（遊技盤Ｐに向かう方向とは逆方向）への回動に伴い透明板部２０を介し遊技盤Ｐの盤面を開放するように開く。
【００５６】
なお、当該前扉ＦＤは、図１にて示すごとく、遊技球を貯留する球受け皿５０、この球受け皿５０内の遊技球を遊技盤Ｐの遊技領域へ発射するときに操作される発射ハンドル６０などを備えている。
【００５７】
以上のように構成した本実施形態において、当該パチンコ遊技機では、前扉ＦＤが、図１及び図７のいずれかにて例示するごとく、中扉Ｑａとともに、遊技盤Ｐを覆うように閉じた状態にあるものとする。
【００５８】
このような状態では、中扉Ｑａが、その後方から前扉ＦＤにより閉じられた状態で、遊技機本体Ｂの内枠Ｗ内にて上下両側案内バー３０の間に支持されている。従って、前扉ＦＤが外枠Ｆに上述のごとく支持されていても、中扉Ｑａが内枠Ｗに上述のごとく支持されているため、中扉Ｑａが閉じたとき、換言すれば、中扉Ｑａの枠部１０が内枠Ｗ内にて上下両側案内バー３０により中空状板Ｗ１に対し平行となっている。このため、中扉Ｑａと遊技盤Ｐとの間隔（中扉Ｑａの後面と遊技盤Ｐの盤面との間）が上記所定間隔となるように確保される。
【００５９】
従って、遊技球が、遊技盤Ｐの盤面に沿い転動するにあたり、中扉Ｑａと遊技盤Ｐ或いは遊技釘の遊技盤Ｐの盤面からの突出部位との間において球噛みを招くことなく、円滑に転動し得る。
【００６０】
また、上述のごとく、中扉Ｑａが閉じた状態、換言すれば、中扉Ｑａの枠部１０が内枠Ｗの中空状板Ｗ１に平行な状態にあっては、中扉Ｑａの枠部１０が、その外周部にて、内枠Ｗ内、換言すれば、矩形環状壁Ｗ２内にあって、その左右両側壁部と上下両側案内バー３０とにより密封的に包囲されていることから、隙間が内枠Ｗと中扉Ｑａとの間に形成されることがない。このことは、中扉Ｑａと遊技盤Ｐとの間が密封されることを意味する。
【００６１】
また、上述のように中扉Ｑａが閉じた状態においては、当該中扉Ｑａは、上述したごとく、変位回動機構Ｑｂの上下両側長手状案内バー３０の間に挟まれた状態にて位置している。
【００６２】
このため、中扉Ｑａの枠部１０の左端部は、その上端部１１にて、ピン１２を介し、上側案内バー３０の連結長孔部３１の左端部の直下に位置し、下端部１３にて、ピン１４を介し、下側案内バー３０の連結長孔部３１の左端部の直上に位置している。
【００６３】
また、上述のような状態にあっては、変位回動機構Ｑｂの回動アーム４０は、図１１にて示すごとく、閉状態にある中扉Ｑａの枠部１０の上端部と上側案内バー３０との間にて、枠部１０の上端部の左右方向中央部から内枠Ｗの突出片４１ａに向けて延在している。
【００６４】
しかして、以上のような構成のもと、中扉Ｑａが上述のように閉じた状態において前扉ＦＤを前方へ開く。然る後、中扉Ｑａを開くにあたり、当該中扉Ｑａを、図８及び図１２にて示すごとく、左方へ変位するように押す。
【００６５】
ここで、上述のごとく、中扉Ｑａの枠部１０の左端部が、その上端部１１にて、下方からピン１２を介し上側案内バー３０の連結長孔部３１に連結し、かつ、枠部１０の上端部が、その左右方向中央部にて、下方から回動アーム４０の長手方向他端部４２に連結されている。また、枠部１０が、上述のごとく、その左端部の下端部１３にて、上方からピン１４を介し下側案内バー３０の連結長孔部３１に連結されている。
【００６６】
このため、上述のように、中扉Ｑａを、枠部１０の左端部にて右方へ変位するように、押すと、回動アーム４０が、図８及び図１２にて示すごとく、内枠Ｗの矩形環状壁Ｗ２の右端部の上端部（換言すれば、突出片４１ａの突出端部）を基準に左側から右側へ前方向に向け回動するとともに、中扉Ｑａの枠部１０が、各ピン１２、１４とともに、上下両側案内バー３０の各連結長孔部３１に沿い右方へ変位する。
【００６７】
これに伴い、中扉Ｑａは、枠部１０の左端部を軸（回動軸）として、当該枠部１０の左端部にて図８〜図１０及び図１２〜図１４にて示すように右側へ変位しながら反時計方向に回動する。換言すれば、中扉Ｑａは、枠部１０の左端部を軸（回動軸）として、当該左端部にて右側へ変位しながら回動するとともに枠部１０の右端部を右側から左側前方に向け回動する。
【００６８】
然る後、ピン１２が回動アーム４０の長手方向中間部位にその左側から当接するまで、中扉Ｑａが、反時計方向に回動すると、中扉Ｑａの内枠Ｗに対する回動動作が終了する（図１５参照）。このことは、中扉Ｑａが、前扉ＦＤとは反対向きに回動することで、遊技盤Ｐに対する開動作を終了することを意味する。
【００６９】
このように中扉Ｑａが遊技盤Ｐを開いた状態においては、当該中扉Ｑａが、上述のごとく、前扉ＦＤとは逆向きに開くので、この中扉Ｑａは、前扉ＦＤとは異なり、遊技盤Ｐの左端部側には位置せず、当該遊技盤Ｐの右端部側に位置する。
【００７０】
このため、上述のごとく、上記遊技群のうち、遊技球を案内レールＲから遊技領域内に案内するにあたり、重要な役割を果たすべく、遊技盤Ｐの盤面の遊技領域の左上隅角部に打ち込まれている各遊技釘が、開状態にある中扉Ｑａによって塞がれることなく、遊技盤Ｐの前方へ開放される。従って、遊技盤Ｐの盤面の遊技領域の左上隅角部に打ち込まれている各遊技釘に対するメンテナンス作業が容易になされ得る。
【００７１】
然る後、中扉Ｑａを閉じるにあたっては、中扉Ｑａを、図１４にて、枠部１０の右端部側から右側後方へ押す。これに伴い、中扉Ｑａが、枠部１０の左端部を回動軸として、当該枠部１０の左端部にて、両ピン１２、１４とともに、図１４〜図１２にて示すごとく上下両側案内バー３０の各連結長孔部３１に沿い左側へ変位しながら図示反時計方向に回動する。
【００７２】
換言すれば、中扉Ｑａは、枠部１０の左端部を回動軸として、枠部１０の右端部を前側から後側後方へ回動させるとともに枠部１０の左端部を上下両側案内バー３０の各連結長孔部３１に沿い左側へ変位させるように回動する。
【００７３】
これに伴い、中扉Ｑａが、その枠部１０により、内枠Ｗ内における上下両側案内バー３０の間にて中空状板Ｗ１に対し平行となる位置に達すると、両ピン１２、１４が、上下両側案内バー３０の各連結長孔部３１の複数の凹部３１ａのうち、各連結長孔部３１の左端側に位置する各凹部３１ａ内に係合する。これにより、中扉Ｑａが遊技盤Ｐの盤面を閉じるように位置決めされる。なお、このような状態にて、前扉ＦＤを遊技機本体Ｂに向けて回動させれば、当該前扉ＦＤは、中扉Ｑａを介し、遊技盤Ｐの盤面を閉じる。
【００７４】
以上説明したように、本実施形態によれば、前扉ＦＤが、上述したように、その左端部にて外枠Ｆの左端部に前後方向へ回動に支持され、上述のように構成した中扉Ｑａが、前扉ＦＤと遊技機本体Ｂの内枠Ｗとの間にて当該内枠Ｗ内に位置している。そして、当該中扉Ｑａは、上述のように構成した変位回動機構Ｑｂの上下両側案内バー３０及び回動アーム４０のもと、枠部１０の左端部を上下両側案内バー３０の各連結長孔部３１に沿い右側へ変位させつつ、枠部１０の左端部を軸（回動軸）として、回動アーム４０により枠部１０の右端部を左側前方へ回動させて、遊技盤Ｐの盤面をその右側へ開く。従って、当該中扉Ｑａは、前扉ＦＤとの干渉を招くことなく、円滑に遊技盤Ｐの盤面をその右側へ開くことができる。
【００７５】
また、当該中扉Ｑａは、上述のように構成した変位回動機構Ｑｂの上下両側案内バー３０及び回動アーム４０のもと、枠部１０の左端部を上下両側案内バー３０の各連結長孔部３１に沿い左側へ変位させつつ、枠部１０の左端部を軸（回動軸）として、回動アーム４０により枠部１０の右端部を右側後方へ回動させて、遊技盤Ｐの盤面をその右側から閉じる。従って、当該中扉Ｑａは、前扉ＦＤとの干渉を招くことなく、円滑に遊技盤Ｐの盤面をその右側から閉じることができる。
【００７６】
また、上述のように、中扉Ｑａが、前扉ＦＤとは逆に遊技機本体Ｂの左側から右側に向け遊技盤Ｐを開くので、遊技盤Ｐの盤面の遊技領域の左上隅角部に打ち込まれている各遊技釘に対するメンテナンスを、中扉Ｑａにより邪魔されることなく、容易に行うことができる。
【００７７】
また、中扉Ｑａを閉じた状態では、上述のごとく、隙間が、中扉Ｑａと内枠Ｗとの間に形成されることがないので、遊技盤Ｐに対する密封度が良好に確保され得る。
【００７８】
これにより、汚れた空気が、内枠Ｗと中扉Ｑａとの間に入り込むことができず、その結果、遊技盤Ｐの盤面に沿い転動する遊技球の表面が、汚れた空気と接触して汚れることなく、永く、清浄に維持され得る。このことは、当該パチンコ遊技機において遊技に使用される遊技球のメンテナンス作業を軽減し得ることを意味する。
【００７９】
また、上述のように、隙間が、中扉Ｑａと内枠Ｗとの間に形成されることがないので、前扉ＦＤと遊技機本体Ｂとの間から行われがちな不正行為を未然に防止することができる。なお、上述のように前扉ＦＤ及び中側扉Ｑａが共に閉じた状態では、前扉ＦＤの透明窓Ｄｂが、中側扉Ｑの透明板部２０を介して遊技盤Ｐの盤面に対向している。そして、透明窓Ｄｂ及び透明板部２０は、共に、透明である。このため、遊技者は、透明窓Ｄｂ及び透明板部２０を通して遊技盤Ｐの盤面を良好に視認することができる。従って、遊技者は、その後の遊技を円滑に行うことができる。
【００８０】
なお、本発明の実施にあたり、上記実施形態に限ることなく、次のような種々の変形例が挙げられる。
（１）本発明の実施にあたり、変位回動機構Ｑｂにおいて、上下両側案内バー３０の各構成は、上記実施形態にて述べた連結長孔部３１に限ることなく、例えば、
上側案内バー３１にあっては、その幅方向中央部にて、ピン１２と係合可能に下方に向け開口する帯状凹所であってもよく、下側案内バー３１にあっては、その幅方向中央部にて、ピン１４と係合可能に上方に向け開口する帯状凹所であってもよい。
（２）本発明の実施にあたり、内枠の矩形環状壁Ｗ２の上側端部の前端部に沿いその下側から左右方向に向け、上側案内バー３０の連結長孔部３１に相当する上側連結長孔部を形成し、また、矩形環状壁Ｗ２の中側壁部Ｗ３の前端部に沿いその上側から左右方向に向け、下側案内バー３０の連結長孔部３１に相当する下側連結長孔部を形成して、矩形環状壁Ｗ２の上側端部及びその上側連結長孔部と中側壁部Ｗ３及びその下側連結長孔部でもって、上下両側案内バー３０と同様の機能を果たすようにして、上下両側案内バー３０を廃止してもよい。
（３）本発明の実施にあたり、変位回動機構Ｑｂにおいて、上下両側案内バー３０は、上記実施形態とは異なり、一般的には、長手状案内部材であればよい。
（５）本発明の実施にあたり、変位回動機構Ｑｂにおいて、上下両側案内バー３０は、上記実施形態とは異なり、上下両側案内バー３０の一方を廃止してもよい。
（６）本発明の実施にあたり、変位回動機構Ｑｂにおいて、上記実施形態にて述べた回動アーム４０は、上記実施形態とは異なり、内枠Ｗの矩形環状壁Ｗ２の右端下端部から前方へ突出する突出片（突出片４１ａに対応する）の突出端部と、中扉Ｑａの枠部１０の下端部の左右方向中央部に、ピン（ピン４２ａに対応する）を介し相対的に回動可能に連結するようにしてもよい。
（７）本発明の実施にあたり、変位回動機構Ｑｂにおいて、上記実施形態にて述べた回動アーム４０を上側回動アームとして、下側回動アームを採用し、この下側回動アームを、内枠Ｗの矩形環状壁Ｗ２の右端下端部から前方へ突出する突出片（突出片４１ａに対応する）の突出端部と、中扉Ｑａの枠部１０の下端部の左右方向中央部に、ピン（ピン４２ａに対応する）を介し相対的に回動可能に連結するようにしてもよい。
（８）本発明の実施にあたり、上記実施形態にて述べた回動アーム４０は、上記実施形態とは異なり、上側案内バー３０の上側に位置して、突出片４１ａの突出端部と中扉Ｑａの枠部１０の上端部の左右方向中央部との間に相対的に回動可能に支持するようにしてもよい。なお、この場合、回動アーム４０の長手方向他端部４２は、上側案内バー３０と干渉しないように構成したロッド（ピン４２ａに代わる）により、枠部１０の上端部の左右方向中央部に連結すればよい。例えば、当該ロッドのうち上側案内バー３０に対する対向部位を、上側案内バー３０と干渉しないように断面湾曲形状に形成する。
（９）本発明の実施にあたり、変位回動機構Ｑｂにおいて、回動アーム４０の回転半径は、上記実施形態とは異なり、中扉Ｑａの枠部１０の上端部の全長の半分に限ることなく、変更してもよい。但し、この変更は、中扉Ｑａを実質的に遊技盤Ｐを開閉し得る範囲であることが望ましい。
【符号の説明】
【００８１】
Ｂ…遊技機本体、Ｆ…外枠、ＦＤ…前扉、Ｗ…内枠、Ｑａ…中扉、Ｐ…遊技盤、
１０…枠部、１１…枠部の左端部の上端部、１３…枠部の左端部の下端部、
２０…透明板部、３０…長手状案内バー、４０…回動アーム。
【図１】
0005917110.tif 000002
【図２】
0005917110.tif 000003
【図３】
0005917110.tif 000004
【図４】
0005917110.tif 000005
【図５】
0005917110.tif 000006
【図６】
0005917110.tif 000007
【図７】
0005917110.tif 000008
【図８】
0005917110.tif 000009
【図９】
0005917110.tif 000010
【図１０】
0005917110.tif 000011
【図１１】
0005917110.tif 000012
【図１２】
0005917110.tif 000013
【図１３】
0005917110.tif 000014
【図１４】
0005917110.tif 000015
【図１５】
0005917110.tif 000016